【事件の表示】
　特願２００８−　６７５００「有機電界発光表示装置及びその駆動方法」拒絶査定不服審判事件〔平成２０年１１月　６日出願公開、特開２００８−２６８９１４〕について、次のとおり審決する。
【結　論】
　本件審判の請求は、成り立たない。
【理　由】
第１　手続の経緯
　本願は、平成２０年３月１７日（パリ条約による優先権主張２００７年４月２４日、韓国）の出願であって、平成２３年４月２１日及び同年８月２３日付けで手続補正がなされ、平成２３年８月２３日付け手続補正が同年９月９日付けで却下されるとともに同日付けで拒絶査定がなされ、これに対して、平成２４年１月２０日付けで拒絶査定不服審判が請求されると同時に手続補正がなされたものである。
　なお、請求人は、当審における平成２４年４月２４日付けの審尋に対して同年８月８日付けで回答書を提出している。
　
第２　平成２４年１月２０日付け手続補正についての補正却下の決定
〔補正却下の決定の結論〕
　平成２４年１月２０日付け手続補正を却下する。
　
〔理由〕
１　本件補正の内容
（１）平成２４年１月２０日付け手続補正（以下「本件補正」という。）は、特許請求の範囲についてするものであって、本件補正前の請求項１（平成２３年４月２１日付け補正後のもの）に、
　
「複数のピクセル回路を含む有機電界発光表示パネルと、
　前記有機電界発光表示パネルに電気的に繋がれた電源供給部と、
　前記電源供給部と前記有機電界発光表示パネルの前記複数のピクセル回路間
に抵抗で
　前記電圧検知部に電気的に繋がれて、前記電源供給部を制御する制御部と、を含み、
　前記制御部は、前記複数のピクセル回路の中で前記特定時間に発光するピクセル数を累積し、前記ピクセル数から求めた前記有機電界発光表示パネル全体に流れる基準の電流値を用いて前記抵抗に生じる電圧を参照値として計算し、前記電圧検知部で測定された電圧値が前記制御部で計算された前記参照値より大きけれ
ば前
ば前
　
「複数のピクセル回路を含む有機電界発光表示パネルと、
　前記有機電界発光表示パネルに電気的に繋がれた電源供給部と、
　前記電源供給部と前記有機電界発光表示パネルの前記複数のピクセル回路間
に一つの抵抗が
　前記電圧検知部に電気的に繋がれて、前記電源供給部を制御する制御部と、を含み、
　前記制御部は、前記複数のピクセル回路の中で前記特定時間に発光するピクセル数を累積し、前記ピクセル数から求めた前記有機電界発光表示パネル全体に流れる基準の電流値を用いて前記抵抗に生じる電圧を参照値として計算し、前記電圧検知部で測定された電圧値が前記制御部で計算された前記参照値より大きけれ
ば前記ピクセル回路に供給される前
ば前記ピクセル回路に供給される前
　
（２）本件補正後の請求項１に係る上記（１）の補正は、本件補正前の請求項１の「間に抵抗
が
で
　
２　本件補正の目的
　本件補正後の請求項１に係る上記１（２）の補正は、全体として、本件補正前の請求項１に係る発明を特定するために必要な事項を限定するものであるから、特許法第１７条の２第５項第２号に掲げる特許請求の範囲の減縮を目的とするものである。
　そこで、本件補正後の請求項１に係る発明（以下「本願補正発明」という。）が、特許出願の際独立して特許を受けることができるものであるか（平成２３年法律第６３号改正附則第２条第１８項によりなお従前の例によるとされる同法による改正前の特許法第１７条の２第６項において準用する同法第１２６条第５項の規定に適合するか）について以下検討する。
　
３　引用例
　原査定の拒絶の理由に引用された「本願の優先日前に頒布された刊行物である特開２００２−３１１８９８号公報（以下「引用例」という。）」には、次の事項が図とともに記載されている。
（１）「【０００１】
【発明の属する技術分野】本発明は、
基板上に形成された発光素子、例えば有機発光素子（ＯＬＥＤ：Organic Light Emitting Device）を、該基板とカバー材の間に封入したＯＬＥＤパネル
該ＯＬＥＤパネルにコントローラを含むＩＣ等を実装した、ＯＬＥＤモジュール
ＯＬＥＤパネル及びＯＬＥＤモジュールを発光装置と総称する
【０００２】
【従来の技術】ＯＬＥＤは自ら発光するため視認性が高く、液晶表示装置（ＬＣＤ）で必要なバックライトが要らず薄型化に最適であると共に、視野角にも制限が無い。そのため、近年ＯＬＥＤを用いた発光装置は、ＣＲＴやＬＣＤに代わる表示装置として注目されている。
【０００３】
ＯＬＥＤは、電場を加えることで発生するルミネッセンス（Electroluminescence）が得られる有機化合物（有機発光材料）を含む層（以下、有機発光層と記す）と、陽極層と、陰極層とを有している
【０００４】なお、本明細書では、ＯＬＥＤの陽極と陰極の間に設けられた全ての層を有機発光層と定義する。有機発光層には具体的に、発光層、正孔注入層、電子注入層、正孔輸送層、電子輸送層等が含まれる。基本的にＯＬＥＤは、陽極／発光層／陰極が順に積層された構造を有しており、この構造に加えて、陽極／正孔注入層／発光層／陰極や、陽極／正孔注入層／発光層／電子輸送層／陰極等の順に積層した構造を有していることもある。
【０００５】
【発明が解決しようとする課題】発光装置を
実用化する上で問題となって
有機発光材料の劣化に伴う、ＯＬＥＤの輝度の低下
【０００６】有機発光材料は水分、酸素、光、熱に弱く、これらのものによって劣化が促進される。具体的には、発光装置を駆動するデバイスの構造、有機発光材料の特性、電極の材料、作製工程における条件、発光装置の駆動方法等により、その劣化の速度が左右される。
【０００７】有機発光層にかかる電圧が一定であっても、有機発光層が劣化するとＯＬＥＤの輝度は低下し、表示する画像は不鮮明になる。なお本明細書において、
一対の電極から有機発光層に印加する電圧をＯＬＥＤ駆動電圧（Ｖｅｌ）と定義する
【０００８】また、Ｒ（赤）、Ｇ（緑）、Ｂ（青）に対応した三種類のＯＬＥＤを用いたカラー化表示方式において、有機発光層を構成する有機発光材料は、ＯＬＥＤの対応する色によって異なる。そのため、ＯＬＥＤの有機発光層が、対応する色にごとに異なる速度で劣化することがある。この場合、時間が経つにつれ、ＯＬＥＤの輝度が色ごとに異なってしまい、発光装置に所望の色を有する画像を表示することができなくなる。
【０００９】本発明は上述したことに鑑み、
有機発光層が劣化しても、ＯＬＥＤの輝度が低下するのを抑え、
ることを課題とする
【００１０】
【課題を解決するための手段】本発明者は、
ＯＬＥＤ駆動電圧を一定に保って発光させるのと、ＯＬＥＤに流れる電流を一定に保って発光させるのとでは、後者の方が、劣化によるＯＬＥＤの輝度の低下が小さいことに着目し
ＯＬＥＤに流れる電流をＯＬＥＤ駆動電流（Ｉｅｌ）と呼ぶ
【００１１】図２に、ＯＬＥＤ駆動電圧を一定にしたときと、ＯＬＥＤ駆動電流を一定にしたときの、ＯＬＥＤの輝度の変化を示す。図２に示すとおり、ＯＬＥＤ駆動電流を一定にした方が、劣化による輝度の低下が小さい。
【００１２】よって本発明者は、
劣化等によってＯＬＥＤ駆動電流が低下しても、ＯＬＥＤ駆動電圧を補正して、常にＯＬＥＤ駆動電流を一定にすることができる
【００１３】具体的に本発明の発光装置は、
ＯＬＥＤ駆動電流を測定する第１の手段と、ＯＬＥＤ駆動電流の理想とする値（基準値）をビデオ信号から算出する第２の手段と、前記測定値と前記基準値を比較する第３の手段と、ＯＬＥＤ駆動電圧を補正することで、測定値と基準値の差を縮める第４の手段とを有し
【００１４】
上記構成によって、本発明の発光装置は、有機発光層が劣化してもＯＬＥＤ電流を一定にすることができるので、輝度の低下を抑えることができ
【００１５】そして、Ｒ（赤）、Ｇ（緑）、Ｂ（青）に対応した三種類のＯＬＥＤを用いたカラー化表示方式の場合、各色のＯＬＥＤごとにＯＬＥＤ駆動電流を測定し、ＯＬＥＤ駆動電圧を補正するようにしても良い。この構成によって、ＯＬＥＤの有機発光層が、対応する色にごとに異なる速度で劣化しても、各色の輝度のバランスが崩れるのを防いで所望の色を表示することができる。
【００１６】また、有機発光層の温度は、外気温やＯＬＥＤパネル自身が発する熱等に左右されるが、一般的にＯＬＥＤは温度によって流れる電流の値が変化する。図３に、有機発光層の温度を変化させたときの、ＯＬＥＤの電圧電流特性の変化を示す。電圧が一定のとき、有機発光層の温度が高くなると、ＯＬＥＤ駆動電流は大きくなる。そしてＯＬＥＤ駆動電流とＯＬＥＤの輝度は比例関係にあるため、ＯＬＥＤ駆動電流が大きければ大きいほど、ＯＬＥＤの輝度は高くなる。図２において、定電圧時における輝度が約２４時間の周期で上下しているのも、昼夜の温度差が反映されているためである。しかし、本発明の発光装置では、有機発光層の温度が変化しても、ＯＬＥＤ駆動電圧を補正することでＯＬＥＤ駆動電流を常に一定に保つことができる。よって、温度変化に左右されずに一定の輝度を得ることができ、また温度の上昇に伴って消費電力が大きくなるのを防ぐことができる。
【００１７】さらに、一般的に、有機発光材料の種類によって温度変化におけるＯＬＥＤ駆動電流の変化の度合いが異なるため、カラー表示において各色のＯＬＥＤの輝度が温度によってバラバラに変化することが起こりうる。しかし本発明の発光装置では、温度変化に左右されずに一定の輝度を得ることができるので、各色の輝度のバランスが崩れるのを防ぐことができ、所望の色を表示することができる。
【００１８】また、本発明の発光装置では、ＯＬＥＤ電流を測定する際に、使用者の意図に反して表示する画面を変える必要がないため、利便性に優れている。
【００１９】また一般的な発光装置は、各画素に電流を供給する配線自体が抵抗を有するため、配線の長さによってその電位が多少降下する。そしてこの電位の降下は、表示する画像によっても大きく異なる。特に、
同じ配線から電流が供給される複数の画素において、階調数の高い画素の割合が大きくなると、配線に流れる電流が大きくなり、電位の降下が顕著に現れる。電位が降下すると、各画素のＯＬＥＤにそれぞれかかる電圧が小さくなるため、各画素に供給される電流は小さくなる。よって、ある所定の画素において一定の階調を表示しようとしても、同じ配線から電流が供給されている他の画素の階調数が変化すると、それに伴って該所定の画素に供給される電流が変化し、結果的に階調数も変化する。しかし本発明の発光装置では、表示する画像毎に測定値と基準値を得て、ＯＬＥＤ電流を補正することができるので、表示する画像が変化しても補正により所望の階調数を表示することができる
【００２０】
【発明の実施の形態】以下、本発明の構成について説明する。
【００２１】図１に本発明の
ＯＬＥＤパネル
１０１は画素部
複数の画素１０２がマトリクス状に形成されている
１０３はソース線駆動回路
１０４はゲート線駆動回路
【００２２】なお図１ではソース線駆動回路１０３とゲート線駆動回路１０４とが、画素部１０１と同じ基板上に形成されているが、本発明はこの構成に限定されない。ソース線駆動回路と１０３とゲート線駆動回路１０４とが画素部１０１と異なる基板上に形成され、ＦＰＣ等のコネクターを介して、画素部１０１と接続されていても良い。また、図１ではソース線駆動回路１０３とゲート線駆動回路１０４は１つづつ設けられているが、本発明はこの構成に限定されない。ソース線駆動回路１０３とゲート線駆動回路１０４の数は設計者が任意に設定することができる。
【００２３】また図１では、
画素部１０１にソース線Ｓ１〜Ｓｘ、電源線Ｖ１〜Ｖｘ、ゲート線Ｇ１〜Ｇｙが設けられ
【００２４】
各画素１０２にはＯＬＥＤ１０５が設けられている
陽極を画素電極（第１の電極）として用いる場合は陰極を対向電極（第２の電極）と呼び、
【００２５】
各画素１０２のＯＬＥＤ１０５の画素電極は、１つまたは複数のＴＦＴを介して電源線Ｖ１〜Ｖｘのいずれか１つに接続されている。そして電源線Ｖ１〜Ｖｘは全て電流計１０７を介して、可変電源１０６に接続されている。さらに、ＯＬＥＤ１０５の対向電極は全て可変電源１０６に接続されている
【００２６】なお本明細書において可変電源とは、回路や素子に電流又は電圧を供給する電源であり、なおかつ供給する電圧又は電流が可変である電源を意味する。図１では、可変電源１０６が、電源線側が高い電位（Ｖｄｄ）に、対向電極側が低い電位（Ｖｓｓ）に保たれるように接続されている。しかし本発明はこの構成に限定されず、可変電源１０６はＯＬＥＤ１０５に流れる電流が順バイアスになるように接続されていれば良い。
【００２７】なお図１では、
全ての電源線Ｖ１〜Ｖｘが電流計１０７に直列に接続されている
【００２８】また
電流計１０７を設ける位置は、必ずしも可変電源１０６と電源線との間
【００２９】そして
１０８は補正回路であり、電流計１０７において測定された電流の値（測定値）に基づいて、可変電源１０６から対向電極及び電源線Ｖ１〜Ｖｘに供給される電圧を制御する
補正回路１０８にはビデオ信号が入力されており、該ビデオ信号から理想とする電流の値である基準値を算出する
【００３０】なお、電流計１０７、可変電源１０６、補正回路１０８は、各々画素部１０１が形成されている基板とは異なる基板上に形成され、コネクター等を介して画素部１０１と接続されていても良いし、作製が可能であれば画素部１０１と同じ基板上に形成しても良い。
【００３１】またカラー化表示方式の場合、各色ごとに可変電源、電流計を設け、各色のＯＬＥＤにおいてＯＬＥＤ駆動電圧を補正するようにしても良い。なおこのとき、補正回路は色毎に設けても良いし、複数の色のＯＬＥＤに共通の補正回路を設けても良い。
【００３２】図４に各画素の詳しい構成を示す。図４に示した画素は、ソース線Ｓｉ（ｉ＝１〜ｘ）、ゲート線Ｇｊ（ｊ＝１〜ｙ）、電源線Ｖｉ、スイッチング用ＴＦＴ１１０、駆動用ＴＦＴ１１１、コンデンサ１１２及びＯＬＥＤ１０５を有している。なお図４に示した画素の構成はほんの一例であり、画素が有する配線や素子の数、種類及びその接続は、図４に示した構成に限定されない。本発明の発光装置は、可変電源１０６により各画素のＯＬＥＤのＯＬＥＤ駆動電圧が制御可能であるならば、どのような構成を有していても良い。
【００３３】図４では、スイッチング用ＴＦＴ１１０のゲート電極がゲート線Ｇｊに接続されている。そしてスイッチング用ＴＦＴ１１０のソース領域とドレイン領域は、一方はソース線Ｓｉに、もう一方は駆動用ＴＦＴ１１１のゲート電極に接続されている。そして、駆動用ＴＦＴ１１１のソース領域とドレイン領域は、一方は電源線Ｖｉに、もう一方はＯＬＥＤ１０５の画素電極に接続されている。コンデンサ１１２は駆動用ＴＦＴ１１１のゲート電極と電源線Ｖｉとの間に形成されている。
【００３４】図４に示した画素では、ゲート線Ｇｊの電位がゲート線駆動回路１０４によって制御され、ソース線Ｓｉにはソース線駆動回路１０３によってビデオ信号が入力される。スイッチング用ＴＦＴ１１０がオンになると、ソース線Ｓｉに入力されたビデオ信号は、スイッチング用ＴＦＴ１１０を介して駆動用ＴＦＴ１１１のゲート電極に入力される。そして駆動用ＴＦＴ１１１がビデオ信号によりオンになると、可変電源１０６によりＯＬＥＤ１０５の画素電極と対向電極の間にＯＬＥＤ駆動電圧が印加されているので、ＯＬＥＤ１０５が発光する。
【００３５】
電流計１０７は、全ての画素に流れるＯＬＥＤ電流を測定する第１の手段を有している
ＯＬＥＤ１０５が発光しているときに、電流計１０７において電流が測定される
【００３６】なお、電流計に流れる電流に、トランジスタのオフ電流等による漏れ電流が含まれている可能性がある。そこで、いったん全画素のＯＬＥＤに電流が流れないようなビデオ信号を入力し、そのとき電流計に流れる電流値を測定しておく。そして、実際に電流を測定するときには、記憶しておいた電流値を差し引くようにする。そうすると、漏れ電流等に代表されるノイズ成分を除去した正確な電流値を得ることができる。
【００３７】
電流計１０７において得られた測定値は、データとして補正回路１０８に送られ
一方、補正回路１０８にはビデオ信号が入力され
補正回路１０８の構成
【００３８】
１２０は電流値計算回路、１２１は電流値比較回路、１２２は電源制御回路である
電流値計算回路１２０は、入力されたビデオ信号から、電流計１０７に流れる電流の理想の値（基準値）を、ビデオ信号から算出する第２の手段を有している
【００３９】
電流値比較回路１２１は、測定値と基準値を比較する第３の手段を有してい
【００４０】そして、
電源制御回路１２２は、測定値と基準値の間にある程度の差が生じている場合に、可変電源１０６を制御することでＯＬＥＤ駆動電圧を補正し、測定値と基準値の差を縮める第４の手段を有している
電源線Ｖ１〜Ｖｘと対向電極との間の電圧を補正することにより、各画素１０２が有するＯＬＥＤ１０５においてＯＬＥＤ駆動電圧が補正され、所望の大きさのＯＬＥＤ駆動電流が流れ
【００４１】なお、ＯＬＥＤ駆動電圧は、電源線側の電位が制御されることで補正されていても良いし、対向電極側の電位が制御されることで補正されていても良い。また、電源線側の電位と対向電極側の電位とが共に制御されることで、補正されていても良い。
【００４２】なお、電圧の補正により駆動用ＴＦＴ１１１のゲート電圧が確保できなくなるようなことが起こらないように、ビデオ信号の電位は、予め調整しておくことが望ましい。
【００４３】図１９に、カラーの発光装置において、電源線側の電位を制御する場合の、各色のＯＬＥＤのＯＬＥＤ駆動電圧の変化を示す。図１９において、ＶｒはＲ用ＯＬＥＤにおける補正前のＯＬＥＤ駆動電圧であり、Ｖｒ0は補正後のＯＬＥＤ駆動電圧である。同様に、ＶｇはＧ用ＯＬＥＤにおける補正前のＯＬＥＤ駆動電圧であり、Ｖｇ0は補正後のＯＬＥＤ駆動電圧である。ＶｂはＢ用ＯＬＥＤにおける補正前のＯＬＥＤ駆動電圧であり、Ｖｂ0は補正後のＯＬＥＤ駆動電圧である。
【００４４】図１９の場合、対向電極の電位（対向電位）は全てのＯＬＥＤにおいて同じ高さに固定されている。各色のＯＬＥＤごとにＯＬＥＤ駆動電流を測定し、電源線の電位（電源電位）を可変電源により制御することで、ＯＬＥＤ駆動電圧が補正される。
【００４５】本発明は上記構成によって、有機発光層が劣化してもＯＬＥＤの輝度の低下を抑えることができ、その結果鮮明な画像を表示することができる。また、各色毎に対応したＯＬＥＤを用いたカラー表示の発光装置の場合、ＯＬＥＤの有機発光層が、対応する色にごとに異なる速度で劣化しても、各色の輝度のバランスが崩れるのを防いで所望の色を表示することができる。
【００４６】また、有機発光層の温度は、外気温やＯＬＥＤパネル自身が発する熱等に左右されても、ＯＬＥＤの輝度が変化するのを抑えることができ、また温度の上昇に伴って消費電力が大きくなるのを防ぐことができる。また、カラー表示の発光装置の場合、温度変化に左右されずに各色のＯＬＥＤの輝度の変化を抑えることができるので、各色の輝度のバランスが崩れるのを防ぐことができ、所望の色を表示することができる。
【００４７】また、本発明の発光装置では、ＯＬＥＤ電流を測定する際に、使用者の意図に反して表示する画面を変える必要がないため、利便性に優れている。
【００４８】また一般的な発光装置は、各画素に電流を供給する配線（図１では電源線）自体が抵抗を有するため、配線の長さによってその電位は多少降下する。そしてこの電位の降下は、表示する画像によっても大きく異なる。特に、同じ配線から電流が供給される複数の画素のうち、階調数の高い画素の割合が大きくなると、配線に流れる電流が大きくなり、電位の降下が顕著に現れる。電位が降下すると、各画素のＯＬＥＤにそれぞれかかる電圧が小さくなるため、各画素に供給される電流は小さくなる。よって、ある所定の画素において一定の階調を表示しようとしても、同じ配線から電流が供給されている他の画素の階調数が変化すると、それに伴って該所定の画素に供給される電流が変化し、結果的に階調数も変化する。しかし本発明の発光装置では、
表示する画像毎に測定値と基準値を得て、
表示する画像が変化しても補正により所望の階調数を表示することができる
【００４９】なお本発明では、電流の補正を、使用者が好きな時に任意に行うようにしても良いし、設定によりあらかじめ決まった時に自動的に行われるようにしても良い。」
　
（２）「【００７１】（実施例２）本実施例では、図５に示した補正回路１０８の、実施例１とは異なる構成について説明する。
【００７２】図８に、本実施例の補正回路１０８の構成をブロック図で示す。本実施例の補正回路１０８は、実施例１と同様に電流値計算回路１２０、電流値比較回路１２１、電源制御回路１２２を有している。
【００７３】
電流値計算回路１２０は、カウンタ回路１３０と、基準電流値用レジスタ１３１と、乗算回路１３２と、Ａ／Ｄ変換回路１３３とを有して
電流計１０７において得られた測定値のデータは、Ａ／Ｄ変換回路１３３においてデジタルに変換されて、電流値比較回路１２１に入力され
【００７４】また
電流値計算回路１２０に入力されたデジタルビデオ信号は、カウンタ回路１３０に入力される。カウンタ回路１３０では、入力されたデジタルビデオ信号のパルスの出現している期間から、電流値を測定した時に発光している画素の数を算出する。該画素数は乗算回路１３２にデータとして送られ
【００７５】一方、
基準電流値用レジスタ１３１には、各画素の理想とするＯＬＥＤ電流の値（基準値）が記憶されてい
【００７６】
基準電流値用レジスタ１３１に記憶されている基準値は、データとして乗算回路１３２に入力され
乗算回路１３２では、入力された基準値と、発光している画素の数から、全ての画素に流れるＯＬＥＤ駆動電流の合計の基準値を算出する
【００７７】
乗算回路１３２において算出された合計の基準値は、データとして電流値比較回路１２１に入力され
【００７８】
電流値比較回路１２１に入力された測定値と合計の基準値のデータは、共に減算回路１３４に入力される。減算回路１３４では、入力された測定値と合計の基準値のデータの差（以下、偏差電流）を算出する。算出された偏差電流は、データとして比較回路１３７に入力され
【００７９】一方、
許容誤差値用レジスタ１３５には、電源線Ｖ１〜Ｖｘと対向電極の間の、補正によって変化する分の電圧を補正電圧とすると、電圧の補正を行わない偏差電流の範囲が、合計の基準値に対する比率で記憶されている
許容誤差値用レジスタ１３５に、電圧の補正を行わない偏差電流の値の範囲の他に、偏差電流の値に対応する補正電圧の値が記憶されて
偏差電流と補正電圧は、電流計に実際に流れている電流の値が基準値に近づくような関係であ
【００８０】許容誤差値用レジスタ１３５に記憶されている偏差電流と補正電圧の関係は、マスク等の設計により決められた固定データであっても良いし、ＣＰＵやディップスイッチ等による書き換えが可能なデータであっても良い。
【００８１】
比較回路１３７では、電圧の補正を行わない偏差電流の範囲を、許容誤差値用レジスタ１３５に記憶されている、合計の基準値に対する比率から算出する。そして、減算回路１３４から入力された偏差電流のデータが、該範囲からはずれていた場合、所定の値の補正電圧を電源制御回路１２２にデータとして入力する
【００８２】
電源制御回路１２２では、入力された補正電圧の値をもとに可変電源１０６を制御することで、電源線Ｖ１〜Ｖｘと対向電極との間の電圧を補正電圧の値だけ補正する
上記構成によって、各画素１０２が有するＯＬＥＤ１０５においてＯＬＥＤ駆動電圧が補正され、ＯＬＥＤ駆動電流が所望の大きさに近づく
【００８３】なお、ＯＬＥＤ駆動電圧は、電源線側の電位が制御されることで補正されていても良いし、対向電極側の電位が制御されることで補正されていても良い。また、電源線側の電位と対向電極側の電位とが共に制御されることで、補正されていても良い。
【００８４】そして、
補正回路１０８における電圧の補正は、偏差電流の値が、許容誤差値用レジスタ１３５に記憶されている電圧の補正を行わない範囲内に収束するまで、何回も行われ
【００８５】
なお、偏差電流の値に対応する補正電圧の値が許容誤差値用レジスタ１３５に記憶されている場合、比較回路１３７では、減算回路１３４から入力された偏差電流のデータと、許容誤差値用レジスタ１３５に記憶されている偏差電流と補正電圧の関係とを照らし合わせて、補正電圧の値を決定する。
偏差電流の値が大きくても、少ない電圧の補正の回数で偏差電流を小さくすることができる
【００８６】また、カウンタ回路１３０の代わりに、全加算器とメモリを組み合わせて代用しても良い。
【００８７】また、本実施例では減算回路１３４を用いたが、測定値と合計の基準値がどのぐらいかけ離れているかを認識できる回路であれば良く、例えば、減算回路１３４の代わりに除算回路を用いても良い。除算回路を用いた場合、除算回路において測定値と合計の基準値の比が算出される。そして、その測定値と合計の基準値の比から、比較回路１３７において補正電圧の値が決定される。
【００８８】上記構成によって、本発明の発光装置は、有機発光層が劣化してもＯＬＥＤ電流を一定にすることができるので、輝度の低下を抑えることができ、その結果鮮明な画像を表示することができる。また、本発明の発光装置では、有機発光層の温度が変化しても、ＯＬＥＤ駆動電圧を補正することでＯＬＥＤ駆動電流を常に一定に保つことができる。よって、温度変化に左右されずに一定の輝度を得ることができ、また温度の上昇に伴って消費電力が大きくなるのを防ぐことができる。さらに本発明の発光装置では、表示する画像毎に測定値と基準値を得て、ＯＬＥＤ電流を補正することができるので、表示する画像が変化しても補正により所望の階調数を表示することができる。
【００８９】なお本実施例で示した補正回路の構成はほんの一例であり、本発明はこの構成に限定されない。本発明で用いられる補正回路は、全てまたは各画素に流れるＯＬＥＤ駆動電流の理想とする値（基準値）をビデオ信号から算出する手段と、測定値と基準値を比較する手段と、測定値と基準値の間にある程度の差が生じている場合に、その差を縮めるようにＯＬＥＤ駆動電圧を補正する手段とを有していれば良い。」
　
（３）「【００９０】（実施例３）本実施例では、図４に示した画素を有する発光装置の、デジタルビデオ信号を用いた駆動方法と、電圧の補正を行うタイミングについて説明する。
【００９１】本実施例の駆動方法について、図９を用いて説明する。なお、図９において横軸は時間を、縦軸は各ゲート線に接続されている画素の位置を示す。
【００９２】まず、書き込み期間Ｔａが開始されると、ＯＬＥＤ１０５の対向電極の電位と電源線Ｖ１〜Ｖｘの電源電位が同じ高さに保たれる。そしてゲート線駆動回路１０４から出力される選択信号によって、ゲート線Ｇ１に接続されている全ての画素（１ライン目の画素）のスイッチング用ＴＦＴ１１０がオンになる。
【００９３】そして、ソース線駆動回路１０３によって、ソース線（Ｓ１〜Ｓｘ）に入力された１ビット目のデジタルビデオ信号が、スイッチング用ＴＦＴ１１０を介して駆動用ＴＦＴ１１１のゲート電極に入力される。
【００９４】次に１ライン目の画素のスイッチング用ＴＦＴ１１０がオフになり、１ライン目の画素と同様に、選択信号によってゲート線Ｇ２に接続されている２ライン目の画素のスイッチング用ＴＦＴ１１０がオンになる。次に、ソース線（Ｓ１〜Ｓｘ）から１ビット目のデジタルビデオ信号が、２ライン目の画素のスイッチング用ＴＦＴ１１０を介して駆動用ＴＦＴ１１１のゲート電極に入力される。
【００９５】そして順に、全てのラインの画素に１ビット目のデジタルビデオ信号が入力される。全てのラインの画素に１ビット目のデジタルビデオ信号が入力されるまでの期間が書き込み期間Ｔａ１である。なお本実施例において画素にデジタルビデオ信号が入力されるとは、デジタルビデオ信号がスイッチング用ＴＦＴ１１０を介して駆動用ＴＦＴ１１１のゲート電極に入力されることを意味する。
【００９６】書込期間Ｔａ１が終了すると次に表示期間Ｔｒ１になる。表示期間Ｔｒ１では、対向電極の電位は、ＯＬＥＤが発光する程度に、電源線の電源電位との間に電位差を有する高さになる。
【００９７】そして本実施例では、デジタルビデオ信号が「０」の情報を有していた場合、駆動用ＴＦＴ１１１はオフの状態となる。よって電源電位は、ＯＬＥＤ１０５の画素電極に与えられない。その結果、「０」の情報を有するデジタルビデオ信号が入力された画素が有するＯＬＥＤ１０５は発光しない。
【００９８】逆に、「１」の情報を有していた場合、駆動用ＴＦＴ１１１はオンの状態となっている。よって電源電位がＯＬＥＤ１０５の画素電極に与えられる。その結果、「１」の情報を有するデジタルビデオ信号が入力された画素が有するＯＬＥＤ１０５は発光する。
【００９９】このように、表示期間Ｔｒ１においてＯＬＥＤ１０５が発光、または非発光の状態になり、全ての画素は表示を行う。画素が表示を行っている期間を表示期間Ｔｒと呼ぶ。特に１ビット目のデジタルビデオ信号が画素に入力されたことで開始する表示期間をＴｒ１と呼ぶ。
【０１００】表示期間Ｔｒ１が終了すると書込期間Ｔａ２となり、再びＯＬＥＤの対向電極の電位と電源線の電源電位が同じ高さになる。そして書込期間Ｔａ１の場合と同様に順に全てのゲート線が選択され、２ビット目のデジタルビデオ信号が全ての画素に入力される。全てのラインの画素に２ビット目のデジタルビデオ信号が入力し終わるまでの期間を、書き込み期間Ｔａ２と呼ぶ。
【０１０１】書込期間Ｔａ２が終了すると表示期間Ｔｒ２になり、対向電極の電位は、ＯＬＥＤが発光する程度に、電源線の電源電位との間に電位差を有する高さになる。そして全ての画素が表示を行う。
【０１０２】上述した動作はｎビット目のデジタルビデオ信号が画素に入力されるまで繰り返し行われ、書込期間Ｔａと表示期間Ｔｒとが繰り返し出現する。全ての表示期間（Ｔｒ１〜Ｔｒｎ）が終了すると１つの画像を表示することができる。明細書において、１つの画像を表示する期間を１フレーム期間（Ｆ）と呼ぶ。１フレーム期間が終了すると次のフレーム期間が開始される。そして再び書込期間Ｔａ１が出現し、上述した動作を繰り返す。
【０１０３】通常の発光装置では１秒間に６０以上のフレーム期間を設けることが好ましい。１秒間に表示される画像の数が６０より少なくなると、視覚的に画像のちらつきが目立ち始めることがある。
【０１０４】本実施例では、全ての書き込み期間の長さの和が１フレーム期間よりも短く、なおかつ表示期間の長さ比は、Ｔｒ１：Ｔｒ２：Ｔｒ３：…：Ｔｒ（ｎ−１）：Ｔｒｎ＝２0：２1：２2：…：２(n-2)：２(n-1)となるようにすることが必要である。この表示期間の組み合わせで２n階調のうち所望の階調表示を行うことができる。
【０１０５】１フレーム期間中にＯＬＥＤが発光した表示期間の長さの総和を求めることによって、当該フレーム期間におけるその画素の表示した階調がきまる。例えば、ｎ＝８のとき、全部の表示期間で画素が発光した場合の輝度を１００％とすると、Ｔｒ１とＴｒ２において画素が発光した場合には１％の輝度が表現でき、Ｔｒ３とＴｒ５とＴｒ８を選択した場合には６０％の輝度が表現できる。
【０１０６】また表示期間Ｔｒ１〜Ｔｒｎは、どのような順序で出現させても良い。例えば１フレーム期間中において、Ｔｒ１の次にＴｒ３、Ｔｒ５、Ｔｒ２、…という順序で表示期間を出現させることも可能である。
【０１０７】次に、ＯＬＥＤ駆動電圧を補正するための、電流の測定のタイミングと、デジタルビデオ信号から基準値を算出するタイミングについて説明する。
【０１０８】本実施例では、書き込み期間Ｔａ１〜Ｔａｎにおいて、各画素にデジタルビデオ信号が書き込まれるのと並行して、電流値計算回路にもデジタルビデオ信号が入力される。そして、実施例１または実施例２において示したとおり、デジタルビデオ信号から発光する画素の数をカウンタ回路等において算出する。
【０１０９】そして、発光している画素の数を用いて、実施例１では画素測定値を、実施例２では基準値を算出している。
【０１１０】そして電流を測定するタイミングは、本実施例では表示期間Ｔｒ１〜Ｔｒｎにおいて行っている。ただし、各表示期間が開始されるタイミングは、各ラインの画素によって異なっている。そのため、
全ての画素が表示期間が開始された後で、なおかつ全ての画素において該表示期間が終了していない時に、全ての画素におけるＯＬＥＤ電流の合計を一斉に測定する
【０１１１】なお、本実施例で示した駆動方法はほんの一例にすぎず、図１及び図４に示した本発明の発光装置の駆動方法は、本実施例の駆動方法に限定されない。
【０１１２】また本実施例で示した補正回路の構成はほんの一例であり、本発明はこの構成に限定されない。本発明で用いられる補正回路は、全てまたは各画素に流れるＯＬＥＤ駆動電流の理想とする値（基準値）をビデオ信号から算出する手段と、測定値と基準値を比較する手段と、測定値と基準値の間にある程度の差が生じている場合に、その差を縮めるようにＯＬＥＤ駆動電圧を補正する手段とを有していれば良い。
【０１１３】なお本実施例は、実施例１または２と自由に組み合わせて実施することが可能である。」
　
（４）上記（１）ないし（３）から、引用例には次の発明が記載されているものと認められる。
「電場を加えることで発生するルミネッセンス（Electroluminescence）が得られる有機化合物である有機発光材料を含む有機発光層と、陽極層と、陰極層とを有しているＯＬＥＤ（Organic Light Emitting Device：有機発光素子）を、基板上に形成しカバー材との間に封入したＯＬＥＤパネルに、コントローラを含むＩＣ等を実装したＯＬＥＤモジュールは、前記有機発光材料の劣化に伴いＯＬＥＤの輝度が低下することが実用化する上での問題となっているので、有機発光層が劣化してもＯＬＥＤの輝度が低下するのを抑えことを課題とし、一対の電極から有機発光層に印加する電圧であるＯＬＥＤ駆動電圧を一定に保って発光させるのと、ＯＬＥＤに流れる電流であるＯＬＥＤ駆動電流を一定に保って発光させるのとでは、後者の方が劣化によるＯＬＥＤの輝度の低下が小さいことに着目して、
　ＯＬＥＤ駆動電流を測定する第１の手段と、
　ＯＬＥＤ駆動電流の理想とする値（基準値）をビデオ信号から算出する第２の手段と、
　前記測定値と前記基準値を比較する第３の手段と、
　ＯＬＥＤ駆動電圧を補正することで、測定値と基準値の差を縮める第４の手段とを有し、
　有機発光層の劣化等によってＯＬＥＤ駆動電流が低下しても、ＯＬＥＤ駆動電圧を補正することによって、ＯＬＥＤ電流を一定にすることで、輝度の低下を抑えることができるようにし、
　また、同じ配線から電流が供給される複数の画素において、階調数の高い画素の割合が大きくなると配線に流れる電流が大きくなって電位の降下が顕著に現れ、電位が降下すると各画素のＯＬＥＤにそれぞれかかる電圧が小さくなるため各画素に供給される電流は小さくなり、ある所定の画素において一定の階調を表示しようとしても同じ配線から電流が供給されている他の画素の階調数が変化するとそれに伴って該所定の画素に供給される電流が変化し結果的に階調数も変化するが、表示する画像毎に測定値と基準値を得てＯＬＥＤ電流を補正することにより、表示する画像が変化しても補正により所望の階調数を表示することができるようにした、ＯＬＥＤモジュールであって、
　前記ＯＬＥＤパネルは、ソース線、電源線、ゲート線が設けられており、ＯＬＥＤが設けられている複数の画素がマトリクス状に形成されている画素部と、ソース線駆動回路と、ゲート線駆動回路とから構成されており、例えばＯＬＥＤの陽極を画素電極、陰極を対向電極として用い、各画素のＯＬＥＤの画素電極は、１つまたは複数のＴＦＴを介して電源線のいずれか１つに接続されており、
　全ての画素に流れるＯＬＥＤ電流を測定する第１の手段を有している電流計を可変電源と電源線との間の位置に設け、そして電源線を全て電流計に直列に接続して該電流計を介して可変電源に接続し、ＯＬＥＤの対向電極を全て可変電源に接続し、
　ビデオ信号が入力されており、電流計に流れる電流の理想の値である基準値を入力されたビデオ信号から算出する第２の手段を有している電流値計算回路、測定値と基準値を比較する第３の手段を有している電流値比較回路、測定値と基準値の間にある程度の差が生じている場合に、可変電源を制御することでＯＬＥＤ駆動電圧を補正し、測定値と基準値の差を縮める第４の手段を有している電源制御回路で構成され、電流計において測定された電流の値である測定値に基づいて、可変電源から対向電極及び電源線に供給される電圧を制御する補正回路を設け、
　ＯＬＥＤが発光しているとき、具体的には、全ての画素において表示期間が開始された後で、なおかつ全ての画素において該表示期間が終了していない時に、全ての画素におけるＯＬＥＤ電流の合計を一斉に電流計において測定し、得られた測定値をデータとして補正回路に送り、補正回路は、表示する画像毎に測定値と基準値を得て、可変電源を制御して電源線と対向電極との間の電圧を補正することにより各画素が有するＯＬＥＤにおけるＯＬＥＤ駆動電圧を補正して、表示する画像が変化しても補正により所望の階調数を表示することができるように所望の大きさのＯＬＥＤ駆動電流が流れるようにした、ＯＬＥＤモジュールにおいて、
　前記電流値計算回路を、カウンタ回路と、基準電流値用レジスタと、乗算回路と、Ａ／Ｄ変換回路とを有したものとし、電流計において得られた測定値のデータをＡ／Ｄ変換回路においてデジタルに変換して前記電流値比較回路に入力し、また、入力されたデジタルビデオ信号をカウンタ回路に入力し、カウンタ回路で入力されたデジタルビデオ信号のパルスの出現している期間から電流値を測定した時に発光している画素の数を算出し乗算回路にデータとして送り、基準電流値用レジスタに記憶されている各画素の理想とするＯＬＥＤ電流の値である基準値もデータとして乗算回路に入力し、乗算回路で、入力された基準値と発光している画素の数から全ての画素に流れるＯＬＥＤ駆動電流の合計の基準値を算出しデータとして前記電流値比較回路に入力し、
　前記電流値比較回路を、減算回路と、比較回路と、許容誤差値用レジスタとを有したものとし、入力された測定値と合計の基準値のデータを共に減算回路に入力し、減算回路で、入力された測定値と合計の基準値のデータの差である偏差電流を算出し、データとして比較回路に入力し、前記許容誤差値用レジスタに、電源線と対向電極の間の、補正によって変化する分の電圧を補正電圧とすると、合計の基準値に対する比率で電圧の補正を行わない偏差電流の範囲と、電流計に実際に流れている電流の値が基準値に近づくような偏差電流の値との関係で、偏差電流に対応する補正電圧の値とを、記憶しておき、比較回路では、合計の基準値に対する比率から電圧の補正を行わない偏差電流の範囲を算出し、減算回路から入力された偏差電流のデータが該範囲からはずれていた場合、減算回路から入力された偏差電流のデータと、許容誤差値用レジスタに記憶されている偏差電流と補正電圧の関係とを照らし合わせて決定した補正電圧の値を前記電源制御回路にデータとして入力し、
　前記電源制御回路では、入力された補正電圧の値をもとに可変電源を制御することで、電源線と対向電極との間の電圧を補正電圧の値だけ補正し、
　これらの構成によって、補正回路における電圧の補正が偏差電流の値が許容誤差値用レジスタに記憶されている電圧の補正を行わない範囲内に収束するまで何回も行われて、各画素が有するＯＬＥＤにおいてＯＬＥＤ駆動電圧を補正してＯＬＥＤ駆動電流を所望の大きさに近づけるものであるところ、偏差電流の値が大きくても少ない電圧の補正の回数で偏差電流を小さくすることができるＯＬＥＤモジュール。」（以下「引用発明」という。）
　
４　対比
　本願補正発明と引用発明とを対比する。
（１）引用発明の「例えばＯＬＥＤの陽極を画素電極、陰極を対向電極として用い、１つまたは複数のＴＦＴを介して電源線のいずれか１つに接続されている、各画素のＯＬＥＤの画素電極」、「電場を加えることで発生するルミネッセンス（Electroluminescence）が得られる有機化合物である有機発光材料を含む有機発光層と、陽極層と、陰極層とを有しているＯＬＥＤ（Organic Light Emitting Device：有機発光素子）を、基板上に形成しカバー材との間に封入したＯＬＥＤパネル」、「可変電源」、「ＯＬＥＤが発光しているとき、具体的には、全ての画素において表示期間が開始された後で、なおかつ全ての画素において該表示期間が終了していない時」、「測定し」、「制御する」、「補正回路」、「発光している」、「画素」、「発光している画素の数」、「算出し」、「全ての画素に流れるＯＬＥＤ駆動電流の合計の基準値」、「『電流値比較回路に入力』する『データ』として『算出』し」及び「ＯＬＥＤモジュール」は、それぞれ、本願補正発明の「ピクセル回路」、「有機電界発光表示パネル」、「電源供給部」、「特定時間」、「測定する」、「制御する」、「制御部」、「発光する」、「ピクセル」、「発光するピクセル数」、「累積し」、「有機電界発光表示パネル全体に流れる基準の電流値」、「参照値として計算し」及び「有機電界発光表示装置」に相当する。
　
（２）引用発明の「有機電界発光表示パネル（ＯＬＥＤパネル）」は、複数の画素がマトリクス状に形成されている画素部を含み、各画素は、「ピクセル回路（例えばＯＬＥＤの陽極を画素電極、陰極を対向電極として用い、１つまたは複数のＴＦＴを介して電源線のいずれか１つに接続されている、各画素のＯＬＥＤの画素電極）」を有しているから、本願補正発明の「有機電界発光表示パネル」と、「複数のピクセル回路を含む」点で一致する。
　
（３）引用発明において、「有機電界発光表示パネル（ＯＬＥＤパネル）」は、ソース線、電源線、ゲート線が設けられており、ＯＬＥＤが設けられている複数の画素がマトリクス状に形成されている画素部と、ソース線駆動回路と、ゲート線駆動回路とから構成されており、各画素のＯＬＥＤの画素電極は、１つまたは複数のＴＦＴを介して電源線のいずれか１つに接続されており、全ての画素に流れるＯＬＥＤ電流を測定する第１の手段を有している電流計を「電源供給部（可変電源）」と電源線との間の位置に設け、そして電源線を全て電流計に直列に接続して該電流計を介して「電源供給部」に接続し、ＯＬＥＤの対向電極を全て「電源供給部」に接続しているから、引用発明の「電源供給部」と本願補正発明の「電源供給部」とは「有機電界発光表示パネルに電気的に繋がれた」点で一致するといえる。
　そして、本願明細書の発明の詳細な説明の「電圧検知部１３０は、抵抗両端の電圧を測定する役割をする。抵抗における電圧を測定する理由は、抵抗の抵抗値はすでに分かっているものであるため、電圧を測定すれば有機電界発光表示素子ＯＬＥＤに流れる電流値を計算することができるためである。結局、電圧検知部１３０で測定された電圧で有機電界発光表示素子ＯＬＥＤに流れる電流を測定したことになり、これは有機電界発光表示素子ＯＬＥＤの劣化または温度変化による輝度の程度を把握するための測定値となる。」（【００８２】参照）との記載からみて、本願補正発明の「前記電源供給部と前記有機電界発光表示パネルの前記複数のピクセル回路間に一つの抵抗が電気的に繋がれて、前記抵抗にかかる電圧を特定時間に測定する電圧検知部」は、「有機電界発光表示パネル全体に流れる電流値を測定するための検知部」であるといえ、
　引用発明において、電流計は、「特定時間（ＯＬＥＤが発光しているとき、具体的には、全ての画素において表示期間が開始された後で、なおかつ全ての画素において該表示期間が終了していない時）」に、全ての画素におけるＯＬＥＤ電流の合計を一斉に測定するから、
　引用発明の「全ての画素に流れるＯＬＥＤ電流を測定する第１の手段を有している電流計」と本願補正発明の「前記電源供給部と前記有機電界発光表示パネルの前記複数のピクセル回路間に一つの抵抗が電気的に繋がれて、前記抵抗にかかる電圧を特定時間に測定する電圧検知部」とは「電源供給部と有機電界発光表示パネルの複数のピクセル回路間に電気的に繋がれて、特定時間に測定する有機電界発光表示パネル全体に流れる電流値を得るための検知部」である点で一致するといえる。
　
（４）引用発明の「制御部（補正回路）」は、ビデオ信号が入力されており、「検知部（電流計）」に流れる電流の理想の値である基準値を入力されたビデオ信号から算出する第２の手段を有している電流値計算回路、測定値と基準値を比較する第３の手段を有している電流値比較回路、測定値と基準値の間にある程度の差が生じている場合に、「電源供給部（可変電源）」を制御することでＯＬＥＤ駆動電圧を補正し、測定値と基準値の差を縮める第４の手段を有している電源制御回路で構成され、「検知部」において測定された電流の値である測定値に基づいて、「電源供給部」から対向電極及び電源線に供給される電圧を制御するものであり、前記電流値計算回路を、カウンタ回路と、基準電流値用レジスタと、乗算回路と、Ａ／Ｄ変換回路とを有したものとし、「検知部」において得られた測定値のデータをＡ／Ｄ変換回路においてデジタルに変換して前記電流値比較回路に入力し、また、入力されたデジタルビデオ信号をカウンタ回路に入力し、カウンタ回路で入力されたデジタルビデオ信号のパルスの出現している期間から電流値を測定した時に「発光するピクセル数（発光している画素の数）」を「累積（算出）」し乗算回路にデータとして送り、基準電流値用レジスタに記憶されている各画素の理想とするＯＬＥＤ電流の値である基準値もデータとして乗算回路に入力し、乗算回路で、入力された基準値と「発光するピクセル数」から「有機電界発光表示パネル全体に流れる基準の電流値（全ての画素に流れるＯＬＥＤ駆動電流の合計の基準値）」を「参照値として計算（前記電流値比較回路に入力するデータとして算出）」し、前記電流値比較回路を、減算回路と、比較回路と、許容誤差値用レジスタとを有したものとし、入力された測定値と「有機電界発光表示パネル全体に流れる基準の電流値」のデータを共に減算回路に入力し、減算回路で、入力された測定値と「有機電界発光表示パネル全体に流れる基準の電流値」のデータの差である偏差電流を算出し、データとして比較回路に入力し、前記許容誤差値用レジスタに、電源線と対向電極の間の、補正によって変化する分の電圧を補正電圧とすると、「有機電界発光表示パネル全体に流れる基準の電流値」に対する比率で電圧の補正を行わない偏差電流の範囲と、「検知部」に実際に流れている電流の値が基準値に近づくような偏差電流の値との関係で、偏差電流に対応する補正電圧の値とを、記憶しておき、比較回路では、「有機電界発光表示パネル全体に流れる基準の電流値」に対する比率から電圧の補正を行わない偏差電流の範囲を算出し、減算回路から入力された偏差電流のデータが該範囲からはずれていた場合、減算回路から入力された偏差電流のデータと、許容誤差値用レジスタに記憶されている偏差電流と補正電圧の関係とを照らし合わせて決定した補正電圧の値を前記電源制御回路にデータとして入力し、前記電源制御回路では、入力された補正電圧の値をもとに「電源供給部」を制御することで、電源線と対向電極との間の電圧を補正電圧の値だけ補正し、これらの構成によって、電圧の補正が偏差電流の値が許容誤差値用レジスタに記憶されている電圧の補正を行わない範囲内に収束するまで何回も行われて、各画素が有するＯＬＥＤにおいてＯＬＥＤ駆動電圧を補正してＯＬＥＤ駆動電流を所望の大きさに近づけるものであるから、本願補正発明の「『前記複数のピクセル回路の中で前記特定時間に発光するピクセル数を累積し、前記ピクセル数から求めた前記有機電界発光表示パネル全体に流れる基準の電流値を用いて前記抵抗に生じる電圧を参照値として計算し、前記電圧検知部で測定された電圧値が前記制御部で計算された前記参照値より大きければ前記ピクセル回路に供給される前記電源供給部の電圧値を減少させるように制御し、前記電圧検知部で測定された電圧値が前記制御部で計算された前記参照値より小さければ前記ピクセル回路に供給される前記電源供給部の電圧値を増加させるように制御』し、『前記電圧検知部に電気的に繋がれて、前記電源供給部を制御』する『制御部』」と、「前記複数のピクセル回路の中で前記特定時間に発光するピクセル数を累積し、前記ピクセル数から求めた前記有機電界発光表示パネル全体に流れる基準の電流値を用いて参照値を計算し、前記検知部で測定された値が前記制御部で計算された前記参照値より大きければ前記ピクセル回路に供給される前記電源供給部の電圧値を減少させるように制御し、前記検知部で測定された値が前記制御部で計算された前記参照値より小さければ前記ピクセル回路に供給される前記電源供給部の電圧値を増加させるように制御し、前記検知部に電気的に繋がれて、前記電源供給部を制御する」ものである点で一致するといえる。
　
（５）上記（１）ないし（４）からみて、本願補正発明と引用発明とは、
「複数のピクセル回路を含む有機電界発光表示パネルと、
　前記有機電界発光表示パネルに電気的に繋がれた電源供給部と、
　前記電源供給部と前記有機電界発光表示パネルの前記複数のピクセル回路間に電気的に繋がれて、特定時間に測定する有機電界発光表示パネル全体に流れる電流値を得るための検知部と、
　前記検知部に電気的に繋がれて、前記電源供給部を制御する制御部と、を含み、
　前記制御部は、前記複数のピクセル回路の中で前記特定時間に発光するピクセル数を累積し、前記ピクセル数から求めた前記有機電界発光表示パネル全体に流れる基準の電流値を用いて参照値を計算し、前記検知部で測定された値が前記制御部で計算された前記参照値より大きければ前記ピクセル回路に供給される前記電源供給部の電圧値を減少させるように制御し、前記検知部で測定された値が前記制御部で計算された前記参照値より小さければ前記ピクセル回路に供給される前記電源供給部の電圧値を増加させるように制御する有機電界発光表示装置。」の点で一致し、次の点で相違する。
　
相違点：
　本願補正発明では、前記電源供給部と前記有機電界発光表示パネルの前記複数のピクセル回路間に電気的に繋がれて、特定時間に測定する有機電界発光表示パネル全体に流れる電流値を得るための前記検知部が、電気的に繋がれる「一つの抵抗」と、該抵抗にかかる電圧を測定する「電圧検知部」とから構成され、前記参照値として計算するのは「前記抵抗にかかる電圧」であり、したがって、参照値と比較する前記検知部で測定された値も「電圧値」であるのに対して、
　引用発明では、特定時間に測定する有機電界発光表示パネル全体に流れる電流値を得るための前記検知部が、抵抗を前記電源供給部と前記有機電界発光表示パネルの前記複数のピクセル回路間に電気的に繋いで、該抵抗にかかる電圧を測定することにより、電流値を測定するものであるかどうか明らかでなく、前記参照値として計算する全ての画素に流れるＯＬＥＤ駆動電流の合計の基準値が電圧値であるかどうかも不明である点。
　
５　判断
　上記相違点について検討する。
（１）測定箇所に一つの抵抗を電気的に繋いで、該抵抗にかかる電圧を測定する電圧検知部により、測定箇所に流れる電流を測定す電流測定手段は、本願の優先日前に周知である（以下「周知技術」という。例．特開２００５−１０７１２９号公報（【００２９】、図７（ｄ）参照。）、特開２００４−１２６１６８号公報（【００２８】、【００２９】、図６参照。）、特開２００２−２７８５１４号公報（【０００５】、図２参照。））。
　
（２）上記（１）からみて、引用発明において、前記「電源供給部」と前記「有機電界発光表示パネル」の前記「複数のピクセル回路」間に電気的に繋がれて、特定時間に測定する「有機電界発光表示パネル」全体に流れる電流値を得るための前記「検知部（電流計）」を、電気的に繋がれる一つの抵抗と、該抵抗にかかる電圧を測定する電圧検知部とから構成し、前記「参照値として計算（前記電流値比較回路に入力するデータとして算出）」する値を前記抵抗にかかる電圧とし、該「参照値」と比較する前記「検知部」で測定された値も電圧値となすこと、すなわち、引用発明において、上記相違点に係る本願補正発明の構成となすことは、当業者が周知技術に基づいて適宜なし得た程度のことである。
　
（３）本願補正発明の奏する効果は、当業者が引用発明の奏する効果及び周知技術の奏する効果から予測することができた程度のものである。
　
（４）まとめ
　したがって、本願補正発明は、当業者が引用発明及び周知技術に基づいて容易に発明をすることができたものである。
　本願補正発明は、当業者が引用発明及び周知技術に基づいて容易に発明をすることができたものであるから、特許法第２９条第２項の規定により特許出願の際独立して特許を受けることができないものである。
　
６　小括
　以上のとおり、本願補正発明は、特許出願の際独立して特許を受けることができないものであるから、本件補正は、平成２３年法律第６３号改正附則第２条第１８項によりなお従前の例によるとされる同法による改正前の特許法第１７条の２第６項において準用する同法第１２６条第５項の規定に違反するので、同法第１５９条第１項の規定において読み替えて準用する同法第５３条第１項の規定により却下すべきものである。
　
第３　本願発明について
１　本願発明
　本件補正は上記第２のとおり却下されたので、本願の請求項１ないし１８に係る発明は、平成２３年４月２１日付けで補正された特許請求の範囲の請求項１ないし１８に記載された事項によって特定されるものであるところ、請求項１に係る発明は、平成２３年４月２１日付けで補正された明細書、特許請求の範囲及び図面の記載からみて、上記「第２〔理由〕１（１）」に本件補正前の請求項１として記載した事項における誤記（上記第２〔理由〕１（２）参照。）を訂正した次のとおりのものと認める。
　
「複数のピクセル回路を含む有機電界発光表示パネルと、
　前記有機電界発光表示パネルに電気的に繋がれた電源供給部と、
　前記電源供給部と前記有機電界発光表示パネルの前記複数のピクセル回路間に抵抗
が
　前記電圧検知部に電気的に繋がれて、前記電源供給部を制御する制御部と、を含み、
　前記制御部は、前記複数のピクセル回路の中で前記特定時間に発光するピクセル数を累積し、前記ピクセル数から求めた前記有機電界発光表示パネル全体に流れる基準の電流値を用いて前記抵抗に生じる電圧を参照値として計算し、前記電圧検知部で測定された電圧値が前記制御部で計算された前記参照値より大きければ前記電源供給部の電圧値を減少させるように制御し、前記電圧検知部で測定された電圧値が前記制御部で計算された前記参照値より小さければ前記電源供給部の電圧値を増加させるように制御することを特徴とする有機電界発光表示装置。」（以下「本願発明」という。）
　
２　引用例
　原査定の拒絶の理由に引用された引用例及びそれらの記載事項は、上記「第２〔理由〕３」に記載したとおりである。
　
３　対比・判断
　本願補正発明は、上記「第２〔理由〕１（２）」のとおり、本願発明の発明特定事項を限定するものである。
　そうすると、本願発明の構成要件をすべて含み、さらに限定を付加したものに相当する本願補正発明が、上記「第２〔理由〕５」に記載したとおり、当業者が引用発明及び周知技術に基づいて容易に発明をすることができたものであるから、本願発明も同様の理由により、当業者が引用発明及び周知技術に基づいて容易に発明をすることができたものである。
　
４　むすび
　本願発明は、以上のとおり、当業者が引用発明及び周知技術に基づいて容易に発明をすることができたものであるから、特許法第２９条第２項の規定により特許を受けることができない。
　よって、結論のとおり審決する。